(57)【要約】      （修正有）【課題】棚板を少ない部品点数で確実に強固に固定できるようにした棚板受け構造及び無溶接方式の棚板受け具を提供する。【解決手段】取付けるべき部位の縁に取付けフランジ部２０Ｂが折り曲げ形成された棚板２０を、横長溝状の取付け穴が板状壁面に形成された固定構造体の取付け穴に取付けるために用いられる無溶接方式の棚板受け具３０である。矩形状の底面部分の両縁から両板部分が相互に対向するように連続した立体形状をなし、両板部分の間に固定構造体の板状壁面１０Ａが嵌め込まれ、両板部分の先端には傾斜ガイド部分が外方に開くように傾斜して連続し、底面部分の幅方向両縁には係止突起が突出し、底面部分の両縁の係止突起の間に取付け穴の下縁部分が挟まれ、両板部分と係止ガイド部分の境界部位には弾性を有する押え面部分が内方に傾斜して突出し、固定構造体の板状壁面を押えるようになっている。【選択図】図４
2020175036.tif 000002
【特許請求の範囲】
【請求項１】
取付けるべき部位の縁に取付けフランジ部（２０Ｂ）が形成された棚板（２０）と、
該棚板（２０）を取付けるべき横長溝状の取付け穴（１１）が板状壁面に形成された固定構造体（１０）と、
上記取付け穴（１１）の横方向の長さより所定寸法短い横方向の長さを有する矩形板材を用いて製作され、矩形状の底面部分（３０Ａ）の両縁から両板部分（３０Ｂ）が相互に対向するように連続した立体形状をなし、上記両板部分（３０Ｂ）の先端には傾斜ガイド部分（３０Ｃ）が外方に開くように傾斜して連続し、上記底面部分（３０Ａ）の幅方向両縁には係止突起（３０Ｄ）が上記両板部分（３０Ｂ）と同一面をなすように突出し、上記両板部分（３０Ｂ）と係止ガイド部分（３０Ｃ）の境界部位には弾性を有する押え面部分（３０Ｅ）が内方に傾斜して突出しており、上記取付け穴（１１）に差し込まれ上記固定構造体（１０）の板状壁面（１０Ａ）が上記両板部分（３０Ｂ）の間に嵌まり込むとともに上記取付け穴（１１）の下縁部分が上記係止突起（３０Ｄ）の間に挟まれることによって上記取付け穴（１１）から抜け止めされ、上記両板部分（３０Ｂ）の間に嵌まり込んだ上記固定構造体（１０）の板状壁面（１０Ｂ）が上記押え面部分（３０Ｅ）で押えられ、上記押え面部分（３０Ｅ）と上記固定構造体（１０）の壁面（１０Ｂ）との間に上記棚板（２０）の取付けフランジ部（２０Ｂ）が差し込まれることによって上記棚板（２０）を受けて上記固定構造体（１０）に固定する受け具（３０）と、を備えたことを特徴とする棚板受け構造。
【請求項２】
取付けるべき部位の縁に取付けフランジ部（２０Ｂ）が形成された棚板（２０）を、横長溝状の取付け穴（１１）が板状壁面に形成された固定構造体（１０）の取付け穴（１１）に取付けるために用いられる無溶接方式の棚板受け具であって、
上記取付け穴（１１）の横方向の長さより所定寸法短い横方向の長さを有する矩形板材を用いて製作され、矩形状の底面部分（３０Ａ）の両縁から両板部分（３０Ｂ）が相互に対向するように連続した立体形状をなし、上記両板部分（３０Ｂ）の間に上記固定構造体（１０）の板状壁面（１０Ａ）が嵌め込まれ、上記両板部分（３０Ｂ）の先端には傾斜ガイド部分（３０Ｃ）が外方に開くように傾斜して連続し、上記底面部分（３０Ａ）の幅方向両縁には係止突起（３０Ｄ）が上記両板部分（３０Ｂ）と同一面をなすように突出し、上記底面部分（３０Ａ）の両縁の上記係止突起（３０Ｄ）の間に上記取付け穴（１１）の下縁部分が挟まれ、上記両板部分（３０Ｂ）と係止ガイド部分（３０Ｃ）の境界部位には弾性を有する押え面部分（３０Ｅ）が内方に傾斜して突出し、上記両板部分（３０Ｂ）の間に嵌まり込んだ上記固定構造体（１０）の板状壁面（１０Ｂ）が上記押え面部分（３０Ｅ）で押えられるようになっていることを特徴とする無溶接方式の棚板受け具。
【発明の詳細な説明】
【技術分野】
【０００１】
本発明は棚板受け構造及び無溶接方式の棚板受け具に関し、特に書棚や陳列棚などの棚板を棚受け脚などに無溶接で固定するようにした受け構造及び受け具に関する。
【背景技術】
【０００２】
例えば、棚板を支柱に取付ける場合、支柱にスリットを設け、スリットにブラケットの後部フックを差し込み、ブラケットに棚板を支持する方式が知られているが、スリットとブラケットの係止フックの係合部分に隙間があるので、係合が外れたり、がたついたり、傾いたりすることがある。
【０００３】
これに対し、押え金具をスリット内に挿入し、ブラケットで受けた棚板を押え金具で押さえるようにした受け構造が提案されている（特許文献１）。
【０００４】
また、スリットと係止フック間の間隙に突片を嵌め込み、ブラケットを隙間なく固定して棚板を弛みなく固定するようにした受け構造も提案されている（特許文献２）。
【０００５】
さらに、押え金具の基部をスリットに差し込み、押え金具を捩じって棚板を強く押えこむようにした受け構造が提案されている（特許文献３）。
【先行技術文献】
【特許文献】
【０００６】
【特許文献１】特開２００８―１３６５３６号公報
【特許文献２】特開２００７―２０７４２号公報
【特許文献２】特開２０１６―１５４６５９号公報
【発明の概要】
【発明が解決しようとする課題】
【０００７】
しかし、特許文献１〜３記載の受け構造では部品点数が多くなるとともに、製造の工程数が増え、製造がコスト高となる。
【０００８】
本発明はかかる問題点に鑑み、棚板を少ない工程数及び部品点数で確実に強固に固定できるようにした棚板受け構造を提供することを課題とする。
【課題を解決するための手段】
【０００９】
そこで、本発明に係る棚板受け構造は、取付けるべき部位の縁に取付けフランジ部が形成された棚板と、該棚板を取付けるべき横長溝状の取付け穴が板状壁面に形成された固定構造体と、上記取付け穴の横方向の長さより所定寸法短い横方向の長さを有する矩形板材を用いて製作され、矩形状の底面部分の両縁から両板部分が相互に対向するように連続した立体形状をなし、上記両板部分の先端には傾斜ガイド部分が外方に開くように傾斜して連続し、上記底面部分の幅方向両縁には係止突起が上記両板部分と同一面をなすように突出し、上記両板部分と係止ガイド部分の境界部位には弾性を有する押え面部分が内方に傾斜して突出しており、上記取付け穴に差し込まれ上記固定構造体の板状壁面が上記両板部分の間に嵌まり込むとともに上記取付け穴の下縁部分が上記係止突起の間に挟まれることによって上記取付け穴から抜け止めされ、上記両板部分の間に嵌まり込んだ上記固定構造体の板状壁面が上記押え面部で押えられ、上記押え面部と上記固定構造体の壁面との間に上記棚板の取付けフランジ部が差し込まれることによって上記棚板を受けて上記固定構造体に固定する受け具と、を備えたことを特徴とする。
【００１０】
本発明の特徴の１つは固定構造体の取付け穴に受け具を差し込み、固定構造体の板状壁面を両板部分の間に嵌め込み、取付け穴の下縁部分を係止突起の間に挟むことによって受け具を抜け止めし、固定構造体の板状壁面を押え面部で押え、押え面部と固定構造体の壁面との間に棚板の取付けフランジ部を差し込むことによって、棚板を受けて固定構造体に固定するようにした点にある。
【００１１】
これにより、受け具を用いることによって、少ない工程数で棚板を固定構造体に固定することができ、製造コストの低減を図ることができる。
【００１２】
受け具の傾斜ガイド部分は受け具を取付け穴に差し込む際に円滑に差し込めるようにするものである。
【００１３】
また、受け具を取付け穴から抜け止めし、受け具の弾性押え面部と固定構造体の壁面の間に棚板の取付けフランジ部を挟み込むようにしたので、棚板をガタツキ少なく強固に固定することができ、棚板が外れたり、傾いたりすることもない。
【００１４】
また、本発明に係る棚板受け構造は溶接作業なしで棚板を固定構造体に取付けることができるという特徴を有する一方、上記棚板受け構造に用いる無溶接方式の棚板受け具も斬新である。
【００１５】
即ち、本発明によれば、取付けるべき部位の縁に取付けフランジ部が形成された棚板を、横長溝状の取付け穴が板状壁面に形成された固定構造体の取付け穴に取付けるために用いられる無溶接方式の棚板受け具であって、上記取付け穴の横方向の長さより所定寸法短い横方向の長さを有する矩形板材を用いて製作され、矩形状の底面部分の両縁から両板部分が相互に対向するように連続した立体形状をなし、上記両板部分の間に上記固定構造体の板状壁面が嵌め込まれ、上記両板部分の先端には傾斜ガイド部分が外方に開くように傾斜して連続し、上記底面部分の幅方向両縁には係止突起が上記両板部分と同一面をなすように突出し、上記底面部分の両縁の上記係止突起の間に上記取付け穴の下縁部分が挟まれ、上記両板部分と係止ガイド部分の境界部位には弾性を有する押え面部分が内方に傾斜して突出し、上記両板部分の間に嵌まり込んだ上記固定構造体の板状壁面が上記押え面部分で押えられるようになっていることを特徴とする無溶接方式の棚板受け具を提供することができる。
【図面の簡単な説明】
【００１６】
【図１】本発明に係る棚板受け構造に用いる無溶接方式の棚板受け具の好ましい実施形態を示す図である。
【図２】本発明に係る棚板受け構造の実施形態における取付け穴を示す図である。
【図３】上記実施形態における棚受け構造に組立てる場合の、受け具をセットする作業を示す図である。
【図４】上記実施形態における棚受け構造に組立てる場合の、棚板をセットする作業を示す図である。
【発明を実施するための形態】
【００１７】
以下、本発明を図面に示す具体例に基づいて詳細に説明する。図１ないし図４は本発明に係る棚板受け構造及び無溶接方式の棚板受け具の好ましい実施形態を示す。図において、棚受け脚（固定構造体）１０には棚板２０が受け具３０によって固定される。
【００１８】
棚受け脚１０は左右の金属支柱１０Ａの間に金属パネル１０Ｂを掛け渡して構成され、金属パネル１０Ｂには図２に示されるように、横方向の長さが４２ｍｍ、高さ３．５ｍｍの横長溝形状の取付け穴１１が形成されている。
【００１９】
他方、棚板２０は矩形状の金属パネルの両側に矩形パイプ状の補強部２０Ａを形成し、金属パネルの前後両側周縁を下方に折り曲げてフランジ部２０Ｂを形成して製作され、後端縁のフランジ部２０Ｂは取付けフランジ部となっている。
【００２０】
受け具３０は図１に示されるように、取付け穴１１の横方向の長さより所定寸法短い横方向の長さを有する矩形状金属パネルを用いて製作され、２．３ｍｍの短い横幅の底面部分３０Ａの両縁から両板部分３０Ｂが相互に対向するように連続した立体形状をなしている。
【００２１】
また、受け具３０の両板部分３０Ｂの先端には傾斜ガイド部分３０Ｃが外方に開くように傾斜して連続され、又底面部分３０Ａの横幅方向両縁には係止突起３０Ｄが両板部分３０Ｂと同一面をなすように切り起こし形成され、両板部分３０Ｂと係止ガイド部分３０Ｃの境界部位には弾性を有する押え面部分３０Ｅが内方に傾斜して切り起こし形成されている。
【００２２】
棚板２０を棚受け脚１０に取付ける場合、図３に示すように、受け具３０の傾斜ガイド部３０Ｃを棚受け脚１０の取付け穴１１に差し込み、受け具３０を回転させながら受け具３０の両板部分３０Ｂの間に棚受け脚１０の取付け穴１１周縁の金属パネル１０Ｂを嵌め込み、底面部分３０Ａ両側の係止突起３０Ｄで取付け穴１１下縁の金属パネル１０Ｂを挟み込むと、受け具３０を取付け穴１１から抜け止めすることができる。
【００２３】
そこで、図４に示されるように、棚板２０の後端側のフランジ部２０Ｂを受け具３０の押え面部分３０Ｅと棚受け脚１０の金属パネル１０Ｂの間に嵌め込むと、受け具３０の押え面部分３０Ｅの弾性によって棚板２０のフランジ部２０Ｂが押されて棚受け脚１０の金属パネル１０Ｂに強く押し付けられ、これによって棚板２０は棚受け脚１０の金属パネル１０Ｂに強固に固定される。
【００２４】
以上のように、棚受け脚１０の取付け穴１１に受け具３０を差し込み、棚受け脚１０の金属パネルを両板部分３０Ｂの間に嵌め込み、取付け穴１１の下縁部分を係止突起３０Ｄの間に挟むことによって受け具３０を抜け止めし、棚受け脚の金属パネルを押え面部３０Ｅで押え、押え面部３０Ｅと棚受け脚１０の金属パネルとの間に棚板２０の取付けフランジ部２０Ｂを差し込み、棚板２０を固定するようにしたので、受け具３０だけで、つまり溶接作業なしで棚板２０を固定することができる。
【符号の説明】
【００２５】
１０      棚掛け脚
２０      棚
２０Ｂ      フランジ部（取付けフランジ部）
３０      受け具
３０Ａ      底面部分
３０Ｂ      両板部分
３０Ｃ      傾斜ガイド部分
３０Ｄ      係止突起
３０Ｅ      押え面部
【図１】
2020175036.tif 000003
【図２】
2020175036.tif 000004
【図３】
2020175036.tif 000005
【図４】
2020175036.tif 000006